(57)【要約】【課題】浴槽への湯張りが終るまでの時間が長くなることを防止した給湯器付風呂装置を提供する。【解決手段】浴槽４に接続される追い焚き循環路１１を有し、追い焚き循環路は接続路２７を介し給湯回路と接続可能で、給湯回路からの湯水により浴槽への湯張りを行い、給湯回路の熱交換部７により発生するドレンを所定量貯留するドレン貯留手段３７と、ドレンを追い焚き循環路に導くドレン導出路４２を有し、ドレン貯留量が所定量を超過したとき、ドレンを、追い焚き循環路の外部に排出するドレン排出制御手段を備え、前回のドレンの排出後に、前回の湯張りから次回の湯張りの開始前の時間であると推定した時間が経過したときに発生する第１ドレン発生量に、次回の湯張りを行うときに発生すると予想される第２ドレン発生量を加算した合計値を算出し、合計値が所定量を超過したことを条件に、強制的にドレンの排出を行うように制御する。【選択図】図１
2015081759.tif 000002
【特許請求の範囲】
【請求項１】
バーナの燃焼により発生する燃焼ガスから顕熱及び潜熱を回収する熱交換部が設けられた給湯回路を有すると共に、浴槽に接続される追い焚き循環路を有しており、該追い焚き循環路は、接続路を介して前記給湯回路と接続可能とされて、前記熱交換部によって発生するドレンを内部に所定量貯留するドレン貯留手段と、前記ドレン貯留手段に貯留した前記ドレンを前記追い焚き循環路に導くドレン導出路を有し、前記追い焚き循環路には、該追い焚き循環路に導かれた前記ドレンを排出するための排出路が接続可能とされており、前記給湯回路から前記接続路を介して前記追い焚き循環路に通される湯水によって前記浴槽への湯張りを行う湯張り制御手段と、前記ドレン貯留手段におけるドレン貯留量が前記所定量を超過したときに、前記ドレン貯留手段に貯留した前記ドレンを、前記ドレン導出路と前記追い焚き循環路と前記排出路とを通して該追い焚き循環路の外部に排出するドレン排出制御手段と、を備えた給湯器付風呂装置であって、
前記ドレン排出制御手段による前回の前記ドレンの排出後において、前記湯張り制御手段による前回の前記湯張りから次回の前記湯張りの開始前の時間であると推定した推定時間が経過したときに前記熱交換部によって発生する第１ドレン発生量に、前記次回の湯張りを行うときに前記熱交換部によって発生すると予想される第２ドレン発生量を加算した合計値を算出する算出手段と、
前記算出手段によって算出した前記合計値が前記所定量を超過したことを条件として、強制的に前記ドレン排出制御手段による前記ドレンの排出を行うように制御する強制制御手段と、
を設けたことを特徴とする給湯器付風呂装置。
【請求項２】
前記推定時間は、前記前回の湯張りから２０時間ないし２３時間後であることを特徴とする請求項１に記載の給湯器付風呂装置。
【請求項３】
前記ドレン排出制御手段は、前記ドレンを前記外部に排出した後に、前記給湯回路から前記接続路を介して前記追い焚き循環路に通される湯水によって該追い焚き循環路内を洗浄することを特徴とする請求項１又は２に記載の給湯器付風呂装置。
【発明の詳細な説明】
【技術分野】
【０００１】
この発明は、給湯回路から浴槽に接続される追い焚き循環路へ通される湯水によって、前記浴槽への湯張りを行う湯張り制御手段と、ドレン貯留手段におけるドレン貯留量が所定量を超過したときに、前記ドレン貯留手段に貯留したドレンを、前記追い焚き循環路を介して該追い焚き循環路の外部に排出するドレン排出制御手段と、を備えた給湯器付風呂装置に関する。
【背景技術】
【０００２】
例えば特許文献１には、細菌が繁殖した状態のドレンが浴槽湯水に混入することを防止した給湯器付風呂装置が開示されている。特許文献１の給湯器付風呂装置では、ドレンタンクに貯留されたドレンの貯留量が所定量を超過すると、前記ドレンをドレンタンクから追い焚き循環路を通して該追い焚き循環路の外部に排出するドレン排出機能を有している。そして、前回のドレン排出機能によるドレンの排出動作の終了時から予め定められた時間が経過しても前記排出動作が行われなかったときは、強制的に前記排出動作を行うようにしている。これにより、長時間に亘りドレンがドレンタンクに貯留されることを回避する結果、ドレン内に細菌が繁殖することを防止できる。
【先行技術文献】
【特許文献】
【０００３】
【特許文献１】特開２０１２−７７９９３号公報
【発明の概要】
【発明が解決しようとする課題】
【０００４】
しかしながら、上記の給湯器付風呂装置のように、前回のドレンの排出動作の終了時から予め定められた時間が経過したときに強制的に前記排出動作を行うようにすると、浴槽への湯張りの最中であっても、強制的に前記排出動作を行うことが考えられる。このように、浴槽への湯張りの最中に前記排出動作を行うことで前記湯張りが中断すると、該排出動作の後に再度浴槽への湯張りが開始されることが原因で、浴槽への湯張りが終了するまでの時間が長くなるという不都合があった。
【０００５】
この発明は、このような状況に鑑み提案されたものであって、浴槽への湯張りが中断されず、該湯張りが終わるまでの時間が長くなることを防止した給湯器付風呂装置を提供することを目的とする。
【課題を解決するための手段】
【０００６】
上記目的を達成するために、請求項１に記載の発明は、バーナの燃焼により発生する燃焼ガスから顕熱及び潜熱を回収する熱交換部が設けられた給湯回路を有すると共に、浴槽に接続される追い焚き循環路を有しており、追い焚き循環路は、接続路を介して給湯回路と接続可能とされて、熱交換部によって発生するドレンを内部に所定量貯留するドレン貯留手段と、ドレン貯留手段に貯留したドレンを追い焚き循環路に導くドレン導出路を有し、追い焚き循環路には、追い焚き循環路に導かれたドレンを排出するための排出路が接続可能とされており、給湯回路から接続路を介して追い焚き循環路に通される湯水によって浴槽への湯張りを行う湯張り制御手段と、ドレン貯留手段におけるドレン貯留量が所定量を超過したときに、ドレン貯留手段に貯留したドレンを、ドレン導出路と追い焚き循環路と排出路とを通して追い焚き循環路の外部に排出するドレン排出制御手段と、を備えた給湯器付風呂装置であって、ドレン排出制御手段による前回のドレンの排出後において、湯張り制御手段による前回の湯張りから次回の湯張りの開始前の時間であると推定した推定時間が経過したときに熱交換部によって発生する第１ドレン発生量に、次回の湯張りを行うときに熱交換部によって発生すると予想される第２ドレン発生量を加算した合計値を算出する算出手段と、算出手段によって算出した合計値が所定量を超過したことを条件として、強制的にドレン排出制御手段によるドレンの排出を行うように制御する強制制御手段と、を設けたことを特徴とするものである。
請求項２に記載の発明は、請求項１に記載の構成において、推定時間は、前回の湯張りから２０時間ないし２３時間後であることを特徴とするものである。
請求項３に記載の発明は、請求項１又は２の構成において、ドレン排出制御手段は、ドレンを外部に排出した後に、給湯回路から接続路を介して追い焚き循環路に通される湯水によって追い焚き循環路内を洗浄することを特徴とするものである。
【発明の効果】
【０００７】
請求項１に記載の発明によれば、第１ドレン発生量に第２ドレン発生量を加算した合計値が、ドレン貯留手段におけるドレンの貯留可能量に相当する所定量を超過して、湯張り制御手段による次回の浴槽への湯張りの開始前に、強制制御手段によってドレンの排出を行えば、前記次回の浴槽への湯張りの最中に、ドレン排出制御手段によってドレンの排出が行われることがない。これにより、次回の浴槽への湯張りが途中で中断されることを防止して、該湯張りが終わるまでの時間が長くなることを防止できる。
請求項２に記載の発明によれば、翌日（次回）の浴槽への湯張りが前日（前回）とほぼ同じ時間（前日の前記湯張りから２０時間ないし２３時間後）に行われることを想定して、算出手段が、第１ドレン発生量と第２ドレン発生量との合計値を算出するようにした。このため、前記合計値が所定量を超過したことを条件として、強制制御手段によって強制的にドレンの排出を行うようにすれば、翌日（次回）の浴槽への湯張りの最中に、ドレン排出制御手段によってドレンの排出が行われることを防止できる。
請求項３に記載の発明によれば、仮に、ドレンを追い焚き循環路の外部に排出する際に該ドレンの一部が該追い焚き循環路内に付着した場合でも、ドレンを前記外部に排出した後に、追い焚き循環路に通される湯水によって該追い焚き循環路内を洗浄することで、この追い焚き循環路内にドレンが残留することを抑制できる。
【図面の簡単な説明】
【０００８】
【図１】本発明の実施形態の給湯器付風呂装置の概略システム図である。
【図２】給湯器付風呂装置においてドレンタンクに貯留したドレンを浴室の外部へ排出するための概略制御ブロック図である。
【図３】給湯器風呂装置が備える風呂給湯器のコントローラが実行するドレンの排出処理に関するフローチャートである。
【発明を実施するための形態】
【０００９】
本発明の実施形態を図１ないし図３を参照しつつ説明する。図１には本発明の実施形態の給湯器付風呂装置１の概略システム図を示した。この給湯器付風呂装置１は、風呂給湯器２と、浴室３に設置された浴槽４とを備えている。風呂給湯器２内には、図示しない第１バーナが配設されている。風呂給湯器２内で前記第１バーナの燃焼ガスの上流側に顕熱回収用熱交換器（図示せず。）が配設され、前記燃焼ガスの下流側に潜熱回収用熱交換器７（図１参照。）が配設されている。この顕熱回収用熱交換器は前記燃焼ガスの顕熱を回収する。一方、潜熱回収用熱交換器７は前記燃焼ガスの顕熱及び潜熱を回収する。そして風呂給湯器２内には、顕熱回収用熱交換器と潜熱回収用熱交換器７とを備えた給湯回路が形成されている。この給湯回路では、図示しない給水管が潜熱回収用熱交換器７の入口側に接続され、該潜熱回収用熱交換器７の出口側が、前記顕熱回収用熱交換器の入口側に接続されている。これに加えて、該顕熱回収用熱交換器の出口側に出湯管（図示せず。）が接続されている。なお、顕熱回収用熱交換器及び潜熱回収用熱交換器７は本発明の熱交換部の一例である。
【００１０】
一方、風呂給湯器２内には、図示しない第２バーナが配設されている。風呂給湯器２内で第２バーナの上側には、図１に示す追い焚き熱交換器１０が配設されている。この追い焚き熱交換器１０は、浴槽４に接続される追い焚き循環路１１に設けられている。追い焚き循環路１１は、往き管１２と戻り管１３とによって形成されている。この往き管１２は、風呂循環ポンプ１４の吐出口側に接続されている。さらに往き管１２には、該往き管１２内を湯水が流通するときにオン状態になる水流スイッチ１５が設けられている。加えて往き管１２には、該往き管１２内を流通する湯水の温度を検出するサーミスタ１６が設けられている。また、往き管１２の途中には第１三方切替弁１７が接続されている。この第１三方切替弁１７には、浴室３と連通する排出路１８が接続されている。この第１三方切替弁１７によって、往き管１２と戻り管１３とが連通する状態と、往き管１２と排出路１８とが連通して往き管１２と戻り管１３とが連通しない状態と、に切り替え可能に構成されている。
【００１１】
図１に示すように戻り管１３は、風呂循環ポンプ１４の吸込口側に接続されている。加えて戻り管１３には、該戻り管１３内を流通する湯水の温度を検出するサーミスタ２５が設けられている。また、戻り管１３の途中には第２三方切替弁２６が接続されている。この第２三方切替弁２６には、本発明の接続路としての注湯路２７の一端側が接続されている。また注湯路２７の他端側は、前記出湯管に接続可能とされている。この注湯路２７の他端側には、出湯管を開閉可能な電磁弁２８が設けられている。さらに注湯路２７には、追い焚き循環路１１から注湯路２７への逆流や後述するドレン導出路４２から注湯路２７への逆流を防止する逆止弁２９と、注湯路２７から出湯管への逆流を防止する逆止弁３０とが設けられている。これに加えて注湯路２７には、該注湯路２７内の湯水の流量を検出する流量センサ３１が設けられている。この注湯路２７の途中には、第３三方切替弁３２が接続されている。
【００１２】
図１に示すように潜熱回収用熱交換器７の下側には、中和器３５が設けられている。この中和器３５では、潜熱回収用熱交換器７で発生した酸性のドレンが中和される。そして、中和器３５の出口にはドレン排出管３６が接続されており、このドレン排出管３６の出口側はドレンタンク３７と接続されている。このドレンタンク３７の内部には、中和器３５によって中和された所定量のドレンが一時的に貯留可能とされている。さらにドレンタンク３７には、該ドレンタンク３７内のドレン水位を検出する水位センサ３８〜４０と、オーバーフローレベルを超過したドレンをドレンタンク３７の外部に排出する排出口４１とが設けられている。加えてドレンタンク３７の下部には、該ドレンタンク３７に貯留されたドレンを追い焚き循環路１１側へ導くためのドレン導出路４２の一端側が接続されている。このドレン導出路４２の他端側は前記第３三方切替弁３２（図１参照。）と接続されている。またドレン導出路４２には、注湯路２７からドレンタンク３７への逆流を防止する逆止弁４３が設けられている。なお、ドレンタンク３７は本発明のドレン貯留手段の一例である。
【００１３】
また図１に示すように第１三方切替弁１７には、後述するように第１三方切替弁１７が備える弁体の回転角度を所定の回転角度に制御する第１角度制御回路６３（図２参照。）を備えた電気回路基板４５が接続されている。この電気回路基板４５には、浴室３に設置された風呂リモコン４６と、風呂給湯器２に備えられたコントローラ４７とが接続されている。本実施形態では、ユーザが風呂リモコン４６の運転スイッチをオン操作すると、コントローラ４７（第１演算処理部５３、図２参照。）が、風呂リモコン４６から電気回路基板４５を介して給湯開始指令信号を受信することで、出湯管から注湯路２７を介して追い焚き循環路１１に湯水が通るように各三方切替弁１７，２６，３２の弁体の回転角度を切り替える。これにより前記湯水を、給湯管から注湯路２７及び追い焚き循環路１１を通じて浴槽４に供給することで、浴槽４への湯張りを行うことができる。なお、コントローラ４７の第１演算処理部５３は本発明の湯張り制御手段の一例である。
【００１４】
図２には、本実施形態の給湯器付風呂装置１が、ドレンタンク３７の内部に貯留したドレンを浴室３の外部へ排出するための概略制御ブロック図を示した。図２に示すように給湯器付風呂装置１は、風呂給湯器２のコントローラ４７（図１参照。）に備えられたメイン基板５１と、上述した電気回路基板４５とを備えている。
【００１５】
メイン基板５１は、電源検知回路５２と、第１演算処理部５３と、第１通信回路５４と、記憶部５５と、第２角度制御回路５６と、第３角度制御回路５７と、風呂循環ポンプ駆動回路５８と、電磁弁駆動回路５９とを備えている。電源検知回路５２は、風呂給湯器２の電源コードが商用交流電源のコンセントに挿入されて風呂給湯器２が通電状態であることを検出するために用いられる。第１演算処理部５３には、第１通信回路５４と、記憶部５５とが接続されている。第１通信回路５４は、電気回路基板４５に各種の信号を送信したり、該電気回路基板４５から送信された各種の信号を受信するために用いられる。記憶部５５には、ドレンタンク３７に貯留したドレンが所定量を超過したときに第１ないし第３三方切替弁１７，２６，３２の回転角度を切り替えてドレンタンク３７内のドレンを浴室の外部へ排出する処理を実行するプログラムや、後述するように前記ドレンが所定量を超過していなくてもドレンタンク３７内のドレンを浴室３の外部へ強制的に排出する処理を実行するプログラムが記憶されている。さらに、第１演算処理部５３には第２角度制御回路５６が接続され、この第２角度制御回路５６には第２三方切替弁２６が接続されている。第２角度制御回路５６は、第１演算処理部５３からの指令信号に基づいて、第２三方切替弁２６の弁体を回転させて該弁体の回転角度を所定の角度に制御する。
【００１６】
加えて、第１演算処理部５３には第３角度制御回路５７が接続され、この第３角度制御回路５７には第３三方切替弁３２が接続されている。第３角度制御回路５７は、第１演算処理部５３からの指令信号に基づいて、第３三方切替弁３２の弁体を回転させて該弁体の回転角度を所定の角度に制御する。さらには、第１演算処理部５３には風呂循環ポンプ駆動回路５８が接続され、この風呂循環ポンプ駆動回路５８には風呂循環ポンプ１４（図１参照。）が接続されている。風呂循環ポンプ駆動回路５８は、第１演算処理部５３からの指令信号に基づいて、風呂循環ポンプ１４の運転を制御する。これ加えて、第１演算処理部５３には電磁弁駆動回路５９が接続され、この電磁弁駆動回路５９には電磁弁２８（図１参照。）が接続されている。電磁弁駆動回路５９は、第１演算処理部５３からの指令信号に基づいて、電磁弁２８の開閉を制御する。また、第１演算処理部５３には水位センサ３８〜４０（図１参照。）が接続されている。本実施形態では第１演算処理部５３は、水位センサ３８によって検出されたドレン水位が所定量（排出設定水位）を超過したと判断すると、ドレン導出路４２と注湯路２７と追い焚き循環路１１と排出路１８とを接続するように各三方切替弁１７，２６，３２の弁体の回転角度を切り替える。これにより、ドレンタンク３７に貯留したドレンを、ドレン導出路４２と注湯路２７と追い焚き循環路１１とを順番に流通させた後に、排出路１８及び浴室３内に設けられて浴槽４の下側に配置される防水パン（図示せず。）の排出部を通じて浴室３の外部に排出する。
【００１７】
図２に示すように電気回路基板４５は、第２通信回路６１と、第２演算処理部６２と、第１角度制御回路６３とを備えている。第２通信回路６１は、メイン基板５１の第１通信回路５４及び第２演算処理部６２に接続されている。第２通信回路６１は、前記第１通信回路５４に各種の信号を送信したり、該第１通信回路５４から送信された各種の信号を受信するために用いられる。第２演算処理部６２には第１角度制御回路６３が接続され、この第１角度制御回路６３には第１三方切替弁１７が接続されている。第１角度制御回路６３は、第２演算処理部６２からの指令信号に基づいて、第１三方切替弁１７の弁体を回転させて該弁体の回転角度を所定の角度に制御する。
【００１８】
次に、図３を用い、メイン基板５１の第１演算処理部５３が、ドレンタンク３７に貯留したドレンを、浴室３に設けられた防水パンで受けた後に浴室３の外部に排出する処理の例を説明する。第１演算処理部５３は、所定の時間毎に記憶部５５に記憶されたプログラムに基づいて、図３に示すスタートからエンドまでの処理を繰り返し実行する。図３に示すように第１演算処理部５３は、風呂給湯器２の電源が投入されているか否かを判断する（Ｓ１）。ここでは、風呂給湯器２の電源コードが商用交流電源のコンセントに挿入されて風呂給湯器２が通電状態になることで、第１演算処理部５３が、図２に示す電源検知回路５２から電圧検知信号を受信したか否かを判断する。Ｓ１において、第１演算処理部５３が前記電圧検知信号を受信して前記電源が投入されていると判断した場合には、ドレンタンク３７に貯留した現在のドレンの水位が所定量（排出設定水位）を超過したか否かを判断する（Ｓ２）。ここでは第１演算処理部５３は、水位センサ３８（図１参照。）から受信した水位検出信号がドレンの水位が前記所定量を超過したことを示すハイレベル信号であるか否かを判断する。
【００１９】
Ｓ２において、第１演算処理部５３が前記ハイレベル信号を受信せず、現在のドレンの水位が所定量を超過していないと判断した場合には、後述する排出運転処理（Ｓ６）によって、ドレンタンク３７内のドレンを前回浴室３の外部に排出してから推定時間が経過したか否かを判断する（Ｓ３）。この推定時間とは、ユーザが風呂リモコン４６の運転スイッチをオン操作して前回の浴槽４への湯張りが行われてから、次回の浴槽４への湯張りが開始される前の時間であると推定した時間である。本実施形態では、翌日の浴槽４への湯張りが前日とほぼ同じ時間に行われることを想定して、前記浴槽４への湯張りが開始される前の時間とは、翌日において前日に浴槽４への湯張りが行われた時間とほぼ同じ時間とする。このように翌日の浴槽４への湯張りが前日とほぼ同じ時間に行われることを想定して、本実施形態では、この推定時間を、一例として前回の浴槽４への湯張りから２０時間後と定めた。Ｓ３においては、前記ドレンを浴室３の外部に排出したことで、第１演算処理部５３が、水位センサ３９（図１参照。）からドレンの水位が下限水位になったことを示すローレベル信号を受信した時から該第１演算処理部５３に備えられたタイマによって計測した時間が２０時間を経過したか否かを判断する。
【００２０】
Ｓ３において、前回ドレンを浴室３の外部に排出してから推定時間（２０時間）が経過した場合には、予想ドレン発生量算出処理（Ｓ４）を実行する。この予想ドレン発生量算出処理（Ｓ４）では、以下に説明するように、第１ドレン発生量Ｗ１と第２ドレン発生量Ｗ２との合計値Ｗ３を算出する。この第１ドレン発生量Ｗ１とは、前回ドレンを浴室３の外部に排出してから推定時間（２０時間）が経過したときに潜熱回収用熱交換器７によって発生すると予想されるドレン量であり、第２ドレン発生量Ｗ２とは、次回の浴槽４への湯張りを行うときに該潜熱回収用熱交換器７によって発生すると予想されるドレン量である。本実施形態では第１演算処理部５３が、記憶部５５に記憶された下記の式（１）ないし式（５）を読み出す。その後第１演算処理部５３は、この式（１）ないし式（５）を用い、第１ドレン発生量Ｗ１と第２ドレン発生量Ｗ２との合計値Ｗ３を算出する。この合計値Ｗ３のデータは、第１演算処理部５３によって記憶部５５に記憶される。なお、第１演算処理部５３は本発明の算出手段の一例である。
Ｗ１＝Ｌ１×σ×ｔ・・・（１）
Ｗ２＝Ｈ３×Ｌ３×σ・・・（２）
Ｗ３＝Ｗ１＋Ｗ２・・・（３）
Ｌ１＝（Ｈ１／Ｈ２）×Ｌ２・・・（４）
Ｈ３＝｛（Ｔ１−Ｔ２）×Ｃ｝／η・・・（５）
ここで、Ｗ１は第１ドレン発生量、Ｗ２は第２ドレン発生量、Ｗ３は第１ドレン発生量と第２ドレン発生量との合計値、Ｌ１は第１バーナの燃焼による単位時間当たりの発生水量、σは第１バーナから噴出する燃焼ガス中の潜熱が占める割合、ｔは推定時間（ここでは２０時間、２０×６０×６０［秒］）、Ｈ３は浴槽４への湯張りの際の第１バーナから潜熱回収用熱交換器７への供給熱量、Ｌ３は浴槽４への湯張りの際の第１バーナの燃焼による発生水量 、Ｈ１は第１バーナから潜熱回収用熱交換器７への単位時間当たりの供給熱量、Ｈ２は第１バーナから噴出する燃焼ガスの単位体積当たりの熱量、Ｌ２は該燃焼ガスの単位体積当たりに含まれる水分量、Ｔ１は浴槽４への湯張りの際の給湯設定温度、Ｔ２はサーミスタ１６によって検出した往き管１２内を流通する湯水の温度、Ｃは浴槽４への湯張りの際の設定給湯量、ηは第１バーナの熱効率である。
【００２１】
予想ドレン発生量算出処理（Ｓ４）の後には、該予想ドレン発生量算出処理（Ｓ４）によって算出した第１ドレン発生量Ｗ１と第２ドレン発生量Ｗ２の合計値Ｗ３が、前記所定量（排出設定水位）を超過するか否かを判断する（Ｓ５）。ここでは、第１演算処理部５３が、記憶部５５に記憶された前記所定量のデータと前記合計値Ｗ３のデータとを読み出すと共に、該所定量のデータと該合計値Ｗ３のデータとを比較する。
【００２２】
Ｓ５において、第１演算処理部５３が所定量のデータと合計値Ｗ３のデータとの比較によって、この合計値Ｗ３が所定量を超過すると判断した場合には、排出運転処理（Ｓ６）を実行する。この排出運転処理（Ｓ６）では、以下に説明するように、ドレンタンク３７に貯留したドレンを、浴室３内の防水パンによって受けた後に浴室３の外部に排出することと、このドレンの排出後に出湯管からの湯水によって追い焚き循環路１１内を洗浄することとの双方を行う。本実施形態では、第１演算処理部５３は、Ｓ２においてドレンタンク３７の現在のドレンの水位が前記所定量を超過していないと判断した場合であっても、Ｓ５において前記合計値Ｗ３が該所定量を超過すると判断すれば、強制的にドレンタンク３７からドレンを排出する。このようにすることで、次回の浴槽４への湯張りの最中にドレンタンク３７のドレンの水位が前記所定量を超過した後に排出運転処理（Ｓ６）が実行されて、浴槽４への湯張りが途中で中断することを防止できる。なお、第１演算処理部５３は本発明の強制制御手段の一例である。
【００２３】
この排出運転処理（Ｓ６）では、以下に説明する処理を実行する。第１演算処理部５３は、弁体の駆動指令信号を第２及び第３角度制御回路５６，５７（図２参照。）に送信する。これに加えて第１演算処理部５３は、弁体の駆動指令信号を、図２に示す第１及び第２通信回路５４，６１、第２演算処理部６２を通じて第１角度制御回路６３に送信する。続いて第２角度制御回路５６は、第２三方切替弁２６に弁体を回転させるモータの駆動信号を送信して、該弁体を回転させて回転角度を切り替えることで、この第２三方切替弁２６を介して図１に示す注湯路２７と追い焚き循環路１１とを接続する。加えて第３角度制御回路５７は、第３三方切替弁３２に弁体を回転させるモータの駆動信号を送信して、該弁体を回転させて回転角度を切り替えることで、この第３三方切替弁３２を介して図１に示すドレン導出路４２と注湯路２７とを接続する。さらに第１角度制御回路６３は、第１三方切替弁１７に弁体を回転させるモータの駆動信号を送信して、該弁体を回転させて回転角度を切り替えることで、この第１三方切替弁１７を介して図１に示す追い焚き循環路１１（往き管１２）と排出路１８とを接続する。その後に第１演算処理部５３が、駆動指令信号を風呂循環ポンプ駆動回路５８に送信する。続いて、風呂循環ポンプ駆動回路５８が図１に示す風呂循環ポンプ１４に駆動信号を送信することで、該風呂循環ポンプ１４を駆動させる。すると、ドレンタンク３７に貯留したドレンが、ドレン導出路４２と注湯路２７と追い焚き循環路１１とを順番に流通した後に、排出路１８及び浴室３内の防水パンに設けられた排出部を通じて浴室３の外部に排出される。
【００２４】
これに加えて排出運転処理（Ｓ６）では、ドレンが浴室３の外部に排出された後に、第１演算処理部５３が、第３三方切替弁３２の弁体を回転させる駆動指令信号を第３角度制御回路５７に送信する。その後に第３角度制御回路５７は、第３三方制御弁３２に弁体を回転させるモータの駆動信号を送信して、該弁体を回転させて回転角度を切り替えることで、この第３三方切替弁３２を介して出湯管と注湯路２７とを接続する。そして、第１演算処理部５３が、開弁指令信号を電磁弁駆動回路５９に送信する。続いて、電磁弁駆動回路５９が図１に示す電磁弁２８に駆動信号を送信して該電磁弁２８を開弁した後に、第１演算処理部５３から風呂循環ポンプ駆動回路５８に送信される駆動指令信号に応じ、風呂循環ポンプ１４を駆動させる。これにより、出湯管からの湯水を、注湯路２７を介して追い焚き循環路１１内に流通させる。したがって、この湯水によって追い焚き循環路１１内を洗浄できる。このようにすれば、仮に、ドレンを追い焚き循環路１１と接続された排出路１８から該追い焚き循環路１１の外部に排出する際に、該ドレンの一部が追い焚き循環路１１内に付着していた場合でも、前記追い焚き循環路１１内の洗浄を行うことで、この追い焚き循環路１１内にドレンが残留することを抑制できる。
【００２５】
図３に示すように、排出運転処理（Ｓ６）の後には待機運転処理（Ｓ７）を実行する。この待機運転処理（Ｓ７）では、以下に説明する処理を実行する。第１演算処理部５３は、弁体の駆動指令信号を図２に示す第１及び第２角度制御回路６３，５６に送信する。その後、第１角度制御回路６３は、前記駆動指令信号に応じ、第１三方切替弁１７の弁体の回転角度を切り替えることで、この第１三方切替弁１７を介して往き管１２と戻り管１３とを連通させる。これと共に、第２角度制御回路５６は、前記駆動指令信号に応じ、第２三方切替弁２６の弁体の回転角度を切り替えることで、この第２三方切替弁２６を介して注湯路２７と追い焚き循環路１１とを接続する。その後は、第１演算処理部５３からの指令信号を待つ待機状態を継続する。
【００２６】
また図３中のＳ２において、現在のドレンの水位が所定量を超過したと判断した場合には、第１演算処理部５３が、上述した排出運転処理（Ｓ６）を実行して、ドレンの排出と追い焚き循環路１１内の洗浄との双方を行う。なお、第１演算処理部５３は本発明のドレン排出制御手段の一例である。
【００２７】
その他にも、図３中のＳ３において、ドレンを前回浴室３の外部に排出してから推定時間（２０時間）が経過していないと判断した場合や、Ｓ５において、第１ドレン発生量Ｗ１と第２ドレン発生量Ｗ２との合計値Ｗ３が、前記所定量（排出設定水位）を超過しないと判断した場合には、Ｓ２の判断に戻る処理を実行する。
【００２８】
＜本実施形態の効果＞
本実施形態の給湯器付風呂装置１では、図３中のＳ５において、第１ドレン発生量Ｗ１と第２ドレン発生量Ｗ２との合計値Ｗ３が、ドレンタンク３７におけるドレンの貯留可能量に相当する所定量を超過すると判断して、次回の浴槽４への湯張りの開始前に、図３中の排出運転処理（Ｓ６）によって、強制的にドレンタンク３７からドレンを排出する。このようにすれば、前記次回の浴槽４への湯張りの最中に、図３中のＳ２において、現在のドレンの水位が所定量（排出設定水位）を超過したと判断することで、排出運転処理（Ｓ６）によって前記ドレンの排出が行われることがない。これにより、次回の浴槽４への湯張りが途中で中断されることを防止して、該湯張りが終わるまでの時間が長くなることを防止できる。
【００２９】
また本実施形態では、翌日（次回）の浴槽４への湯張りが前日（前回）とほぼ同じ時間（例えば、前日の前記湯張りから２０時間後）に行われることを想定して、図３中の予想ドレン発生量算出処理（Ｓ４）によって、第１ドレン発生量Ｗ１と第２ドレン発生量Ｗ２との合計値Ｗ３を算出するようにした。このため、図３中のＳ５において、前記合計値Ｗ３が所定量（排出設定水位）を超過したと判断した後に、図３中の排出運転処理（Ｓ６）によって、強制的にドレンタンク３７からドレンを排出すれば、翌日（次回）の浴槽４への湯張りの最中に、図３中のＳ２において、現在のドレンの水位が前記所定量を超過したと判断することで、排出運転処理（Ｓ６）によってドレンタンク３７からドレンを排出することを防止できる。
【００３０】
さらに、図３中の排出運転処理（Ｓ６）において、仮に、ドレンを追い焚き循環路１１と接続された排出路１８から該追い焚き循環路１１の外部に排出する際に、該ドレンの一部が追い焚き循環路１１内に付着した場合でも、排出運転処理（Ｓ６）では、ドレンを前記外部に排出した後に、出湯管からの湯水によって、追い焚き循環路１１内を洗浄する。これにより、この追い焚き循環路１１内にドレンが残留することを抑制できる。
【００３１】
本発明は、上述した実施形態に限定されるものではなく発明の趣旨を逸脱しない範囲内において構成の一部を適宜変更して実施できる。上述した実施形態では、ドレンを浴室３の外部に排出してから推定時間である２０時間を経過した場合に、第１ドレン発生量Ｗ１と第２ドレン発生量Ｗ２との合計値Ｗ３を算出するようにしたが、これに限らない。例えば、推定時間を２０時間ないし２３時間のうちの適宜の時間に定めて、ドレンを浴室３の外部に排出してからこの定めた適宜の時間が経過した場合に前記合計値Ｗ３を算出するようにしてもよい。
【００３２】
また、上述した実施形態では、ドレンタンク３７に貯留した現在のドレンの水位が所定量（排出設定水位）を超過した場合や、第１ドレン発生量Ｗ１と第２ドレン発生量Ｗ２との合計値Ｗ３が前記所定量を超過すると判断した場合に、排出運転処理（Ｓ６）によって、ドレンの排出と追い焚き循環路１１内の洗浄との双方を行うようにしたが、これに限らない。例えば、排出運転処理（Ｓ６）では前記ドレンの排出のみを行って、その後に排出運転処理（Ｓ６）とは別の処理により、前記排出運転処理（Ｓ６）における方法と同様にして、追い焚き循環路１１内の洗浄を行ってもよい。
【００３３】
さらに、上述した実施形態では、風呂給湯器２内に、顕熱回収用熱交換器と潜熱回収用熱交換器７とを別体にして設けた例を示したが、これに限らず、顕熱回収用熱交換器と潜熱回収用熱交換器７とを一体にして風呂給湯器２内に設けてもよい。加えて、上述した実施形態では、浴室３に設置された風呂リモコン４６の運転スイッチをオン操作することで、浴槽４への湯張りを行う例を示したが、これに加えて、例えば台所に設置された給湯リモコンの運転スイッチをオン操作することでも、浴槽４への湯張りが行われるようにしてもよい。さらに加えて、上述した実施形態では、第３三方切替弁３２を介してドレン導出路４２と注湯路２７とを接続可能としたが、これに代えて、三方切替弁を介してドレン導出路４２と追い焚き循環路１１とを接続可能としてもよい。さらには、上述した実施形態とは異なり風呂給湯器２内では、追い焚き熱交換器１０に代えて、第２バーナの燃焼ガスの上流側に顕熱回収用熱交換器を配設し、前記燃焼ガスの下流側に潜熱回収用熱交換器を配設してもよい。また、上述した実施形態では、式（１）及び式（４）を用い、第１ドレン発生量Ｗ１を算出する例を示したが、これに限らず、前回ドレンを浴室３の外部に排出してから推定時間（２０時間ないし２３時間）が経過したときに、水位センサ３８〜４０によって検出されたドレン水位に基づいて計測したドレン量を、第１ドレン発生量としてもよい。この場合には、図３中の予想ドレン発生量算出処理（Ｓ４）において、計測した第１ドレン発生量と、式（２）及び式（５）を用いて算出した第２ドレン発生量Ｗ２とを加算した合計値を算出するようにしてもよい。このような場合には、第１及び第２ドレン発生量Ｗ１，Ｗ２の双方を計算によって算出する場合と比較して、前記合計値の計算負荷を下げることができる。加えて、水位センサ３８〜４０以外にも、例えばレーザ光を利用した光波式水位計測装置やこれ以外の水位計測装置によって検出されたドレン水位に基づいて計測したドレン量を、第１ドレン発生量としてもよい。
【符号の説明】
【００３４】
１・・給湯器付風呂装置、４・・浴槽、７・・潜熱回収用熱交換器、１１・・追い焚き循環路、１８・・排出路、２７・・注湯路、３７・・ドレンタンク、４２・・ドレン導出路、５３・・第１演算処理部。
【図１】
2015081759.tif 000003
【図２】
2015081759.tif 000004
【図３】
2015081759.tif 000005